(57)【要約】【課題】舌から除去された汚れの程度を使用者に認識させることに貢献する舌清掃器具、およびこの舌清掃器具を有する電動口腔衛生装置を提供する。【解決手段】舌清掃器具１０は、器具本体２０、舌清掃部４０、および保持空間５０を有する。舌清掃部４０は、弾性材料により形成されている。舌清掃部４０は、清掃部基礎部４１および複数の清掃突起４３を有する。清掃部基礎部４１は、基礎面４１Ａを有する。清掃突起４３は、基礎面４１Ａ上に形成されている。保持空間５０は、清掃部基礎部４１に形成され、基礎面４１Ａに対して凹んだ形状を有する。【選択図】図３
2014113269.tif 000002
【特許請求の範囲】
【請求項１】
舌を清掃する舌清掃器具であって、
前記舌清掃器具は、器具本体、舌清掃部、および保持空間を有し、
前記舌清掃部は、弾性材料により形成され、清掃部基礎部および清掃突起を有し、
前記清掃部基礎部は、前記器具本体上に形成され、基礎面を有し、
前記清掃突起は、前記基礎面上に形成され、
前記保持空間は、前記清掃部基礎部に形成され、前記基礎面に対して凹んだ形状を有する
舌清掃器具。
【請求項２】
前記保持空間は、保持空間周面および保持空間底面に囲まれて形成され、
前記清掃部基礎部は、前記保持空間周面を有し、
前記清掃部基礎部または前記器具本体は、前記保持空間底面を有し、
前記保持空間周面および前記保持空間底面の少なくとも一方は、前記基礎面と異なる色を有する
請求項１に記載の舌清掃器具。
【請求項３】
前記器具本体は、基礎部形成面を有し、
前記清掃部基礎部は、前記基礎部形成面上に形成され、
前記保持空間は、前記清掃部基礎部を貫通し、
前記基礎部形成面は、前記保持空間において露出する部分を有し、前記露出する部分を前記保持空間底面として有し、前記基礎面と異なる色を有する
請求項２に記載の舌清掃器具。
【請求項４】
前記基礎部形成面は、突起が存在しない平面として形成されている
請求項３に記載の舌清掃器具。
【請求項５】
前記器具本体は、ヘッドおよびステーを有し、
前記ヘッドは、ヘッド基端側部およびヘッド先端側部を有し、
前記ヘッド基端側部は、前記ステーと結合され、
前記ヘッド先端側部は、前記ヘッド基端側部と結合され、前記ヘッド基端側部に対して前記ステー側とは反対側に形成され、
前記清掃部基礎部は、前記ヘッド基端側部上および前記ヘッド先端側部上に形成され、
前記保持空間は、前記ヘッド先端側部上に形成されている
請求項１〜４のいずれか一項に記載の舌清掃器具。
【請求項６】
請求項１〜５のいずれか一項に記載の舌清掃器具を有する電動口腔衛生装置。
【発明の詳細な説明】
【技術分野】
【０００１】
本発明は、舌清掃器具およびこの舌清掃器具を有する電動口腔衛生装置に関する。
【背景技術】
【０００２】
特許文献１は、従来の舌清掃器具の一例を開示している。
図１０は、特許文献１の舌清掃器具９００を示す。舌清掃器具９００は、器具本体９１０、歯清掃部９２０、および舌清掃部９３０を有する。器具本体９１０は、グリップ部９１１およびヘッド９１２を有する。ヘッド９１２は、グリップ部９１１と一体的に形成される。ヘッド９１２は、歯清掃側面９１３および舌清掃側面９１４を有する。歯清掃部９２０は、歯清掃側面９１３上に形成される。舌清掃部９３０は、舌清掃側面９１４上に形成される。舌清掃部９３０は、舌に接触した状態において動かされることにより、舌に付着している汚れを舌から除去する。
【先行技術文献】
【特許文献】
【０００３】
【特許文献１】特開２００１−３１４２３２号公報
【発明の概要】
【発明が解決しようとする課題】
【０００４】
本願発明者は、舌清掃器具９００が次の課題を含むことを見出した。
舌の汚れは、使用者により視認されにくい。このため、使用者は、舌清掃器具９００を用いて清掃した場合、舌から除去された汚れの程度を認識することが難しい。このため、舌清掃器具９００により舌を過剰に清掃するおそれがある。
【０００５】
本発明は、以上の背景をもとに創作されたものであり、舌から除去された汚れの程度を使用者に認識させることに貢献する舌清掃器具、およびこの舌清掃器具を有する電動口腔衛生装置を提供することを目的とする。
【課題を解決するための手段】
【０００６】
（１）本手段の一形態は、「舌を清掃する舌清掃器具であって、前記舌清掃器具は、器具本体、舌清掃部、および保持空間を有し、前記舌清掃部は、弾性材料により形成され、清掃部基礎部および清掃突起を有し、前記清掃部基礎部は、前記器具本体上に形成され、基礎面を有し、前記清掃突起は、前記基礎面上に形成され、前記保持空間は、前記清掃部基礎部に形成され、前記基礎面に対して凹んだ形状を有する舌清掃器具」を含む。
【０００７】
本舌清掃器具は、清掃突起により舌の汚れを舌から除去する。保持空間は、舌から除去された汚れを保持することができる。このため、使用者は、保持空間に保持されている汚れを視認することにより、舌から除去された汚れの程度を認識することができる。このように、本舌清掃器具は、舌から除去された汚れの程度を使用者に認識させることに貢献する。
【０００８】
（２）上記手段の一形態は、「前記保持空間は、保持空間周面および保持空間底面に囲まれて形成され、前記清掃部基礎部は、前記保持空間周面を有し、前記清掃部基礎部または前記器具本体は、前記保持空間底面を有し、前記保持空間周面および前記保持空間底面の少なくとも一方は、前記基礎面と異なる色を有する舌清掃器具」を含む。
【０００９】
（３）上記手段の一形態は、「前記器具本体は、基礎部形成面を有し、前記清掃部基礎部は、前記基礎部形成面上に形成され、前記保持空間は、前記清掃部基礎部を貫通し、前記基礎部形成面は、前記保持空間において露出する部分を有し、前記露出する部分を前記保持空間底面として有し、前記基礎面と異なる色を有する舌清掃器具」を含む。
【００１０】
（４）上記手段の一形態は、「前記基礎部形成面は、突起が存在しない平面として形成されている舌清掃器具」を含む。
（５）上記手段の一形態は、「前記器具本体は、ヘッドおよびステーを有し、前記ヘッドは、ヘッド基端側部およびヘッド先端側部を有し、前記ヘッド基端側部は、前記ステーと結合され、前記ヘッド先端側部は、前記ヘッド基端側部と結合され、前記ヘッド基端側部に対して前記ステー側とは反対側に形成され、前記清掃部基礎部は、前記ヘッド基端側部上および前記ヘッド先端側部上に形成され、前記保持空間は、前記ヘッド先端側部上に形成されている舌清掃器具」を含む。
【００１１】
（６）本手段の一形態は、「舌清掃器具を有する電動口腔衛生装置」を含む。
【発明の効果】
【００１２】
本舌清掃器具および本電動口腔衛生装置は、舌から除去された汚れの程度を使用者に認識させることに貢献する。
【図面の簡単な説明】
【００１３】
【図１】第１実施形態の電動口腔衛生装置の側面図。
【図２】第１実施形態の舌清掃器具の背面図。
【図３】第１実施形態の舌清掃器具に関する図であって、図２のＸＡ−ＸＡ線において破断された舌清掃器具の断面図。
【図４】第１実施形態の舌清掃器具の部分拡大図。
【図５】第１実施形態の舌清掃器具の部分拡大図。
【図６】第１実施形態の舌清掃器具の製造工程に関する図であって、（ａ）は１次成形工程において第１成形材料が射出された後の金型および成形品の断面図、（ｂ）は２次成形工程において第２成形材料が射出される前の金型および成形品の断面図、（ｃ）は２次成形工程において第２成形材料が射出された後の金型および成形品の断面図。
【図７】第２実施形態の舌清掃器具の部分拡大図。
【図８】第３実施形態の舌清掃器具の部分拡大図。
【図９】第４実施形態の電動口腔衛生装置の側面図。
【図１０】従来の舌清掃器具の側面図。
【発明を実施するための形態】
【００１４】
（第１実施形態）
図１を参照して、電動口腔衛生装置１の構成について説明する。
電動口腔衛生装置１は、電動歯ブラシとしての形態を有する。電動口腔衛生装置１は、舌清掃器具１０および衛生装置本体６０を有する。電動口腔衛生装置１は、電動口腔衛生装置１の長手方向において舌清掃器具１０を衛生装置本体６０により振動させる。
【００１５】
舌清掃器具１０は、衛生装置本体６０との分離および結合が可能なアタッチメントの形態を有する。舌清掃器具１０は、舌清掃機能および歯清掃機能を有する。舌清掃器具１０は、器具本体２０、歯清掃部１１、舌清掃部４０、および保持空間５０（図２参照）を有する。舌清掃器具１０は、器具長手方向、器具幅方向、および器具奥行方向を規定する。器具長手方向は、舌清掃器具１０の正面視または背面視における長手方向の双方向を示す。器具幅方向は、舌清掃器具１０の正面視において器具長手方向に直交する双方向を示す。器具奥行方向は、器具長手方向および器具幅方向に直交する双方向を示す。
【００１６】
器具本体２０は、樹脂材料により形成されている。器具本体２０は、ステー２１およびヘッド３０を有する。器具本体２０は、ステー２１およびヘッド３０が同一の材料により一体的に形成された構造を有する。器具本体２０は、ステー２１において衛生装置本体６０に結合されている。
【００１７】
歯清掃部１１は、ブラシとしての形態を有する。歯清掃部１１のブラシは、ヘッド３０のブラシ植毛面３５に植えられている。歯清掃部１１は、電動口腔衛生装置１における電動歯ブラシとしての形態を規定している。
【００１８】
図３を参照して、ヘッド３０の構成について説明する。
ヘッド３０は、ヘッド基端側部３１、ヘッド先端側部３２、清掃部規定部３３、ヘッド面取部３４、ブラシ植毛面３５、基礎部形成面３６、ヘッド背面３７、ヘッド頂面３８、およびヘッド側面３９を有する。ヘッド３０は、ヘッド形成色ＣＨＡを有する。ヘッド３０は、全体にわたりヘッド形成色ＣＨＡを有する。
【００１９】
ヘッド基端側部３１は、ステー２１と結合されている。ヘッド先端側部３２は、ヘッド基端側部３１と結合されている。ヘッド先端側部３２は、器具長手方向において、ヘッド基端側部３１に対してステー２１側とは反対側に形成されている。
【００２０】
清掃部規定部３３は、段差形状を有する。清掃部規定部３３は、基礎部形成面３６とヘッド背面３７とを区分している。清掃部規定部３３は、ヘッド３０の背面側において舌清掃部４０が形成される範囲を規定している。
【００２１】
ヘッド面取部３４は、ヘッド３０の器具長手方向の先端部分においてヘッド３０の背面側に形成されている。ヘッド面取部３４は、基礎部形成面３６とヘッド頂面３８との間に形成されている。ヘッド面取部３４は、丸面取りされた形状を有する。
【００２２】
ブラシ植毛面３５は、ヘッド３０の正面側に形成されている。ブラシ植毛面３５は、ヘッド頂面３８およびヘッド側面３９と連続している。ブラシ植毛面３５は、平面形状を有する。ブラシ植毛面３５は、舌清掃部４０により覆われていない。ブラシ植毛面３５は、全体が外部に露出している。
【００２３】
基礎部形成面３６は、ヘッド３０の背面部分に形成されている。基礎部形成面３６は、ヘッド基端側部３１の背面部分、およびヘッド先端側部３２の背面部分に形成されている。基礎部形成面３６は、器具奥行方向においてブラシ植毛面３５の反対側に形成されている。基礎部形成面３６は、平面形状を有する。基礎部形成面３６は、基礎部被覆面３６Ａおよび保持空間底面３６Ｂを有する。基礎部被覆面３６Ａは、清掃部規定部３３、ヘッド面取部３４、およびヘッド側面３９と連続している。基礎部被覆面３６Ａは、全体が舌清掃部４０により覆われている。保持空間底面３６Ｂは、外部に露出している。すなわち、基礎部形成面３６は、保持空間底面３６Ｂ以外の部分の全体が舌清掃部４０により覆われている。
【００２４】
ヘッド背面３７は、ヘッド３０の背面部分に形成されている。ヘッド背面３７は、器具長手方向において清掃部規定部３３よりもステー２１側に形成されている。ヘッド背面３７は、清掃部規定部３３およびヘッド側面３９と連続している。ヘッド背面３７は、平面形状を有する。ヘッド背面３７は、舌清掃部４０により覆われていない。ヘッド背面３７は、全体が外部に露出している。
【００２５】
ヘッド頂面３８は、ヘッド３０の器具長手方向の先端部分に形成されている。ヘッド頂面３８は、ヘッド面取部３４、ブラシ植毛面３５、およびヘッド側面３９と連続している。ヘッド頂面３８は、器具長手方向においてヘッド頂面３８の中間部分が最も突出した曲面形状を有する（図２参照）。ヘッド頂面３８は、全体が舌清掃部４０により覆われている。
【００２６】
ヘッド側面３９は、ヘッド３０の側面部分に形成されている。ヘッド側面３９は、ブラシ植毛面３５、基礎部形成面３６、ヘッド背面３７、およびヘッド頂面３８と連続している。ヘッド側面３９は、平面形状を有する。ヘッド側面３９は、全体が舌清掃部４０により覆われている。
【００２７】
図２を参照して、舌清掃部４０の構成について説明する。
舌清掃部４０は、軟性の弾性材料により形成されている。軟性の弾性材料は、舌の清掃時において舌にソフトな接触感を付与する。軟性の弾性材料は、一例として、熱可塑性エラストマーまたはシリコーンゴムを含む。舌清掃部４０は、ヘッド３０に溶着されている。舌清掃部４０は、清掃部基礎部４１、清掃部周壁部４２、および複数の清掃突起４３を有する。舌清掃部４０は、清掃部基礎部４１、清掃部周壁部４２、および複数の清掃突起４３が同一の材料により一体的に形成された構造を有する。舌清掃部４０は、清掃部形成色ＣＣＡを有する。舌清掃部４０は、全体にわたり清掃部形成色ＣＣＡを有する。清掃部形成色ＣＣＡは、ヘッド形成色ＣＨＡと相違する。ヘッド形成色ＣＨＡおよび清掃部形成色ＣＣＡは、互いの色の相違を使用者が容易に識別することが可能な関係を有する。
【００２８】
図３を参照して、清掃部基礎部４１および清掃部周壁部４２の構成について説明する。
清掃部基礎部４１は、基礎部形成面３６上に形成されている。清掃部基礎部４１は、基礎部形成面３６に溶着している。清掃部基礎部４１は、ヘッド基端側部３１上およびヘッド先端側部３２上に形成されている。清掃部基礎部４１、器具長手方向において清掃部規定部３３からヘッド面取部３４までにわたり形成されている。清掃部基礎部４１は、基礎面４１Ａ、保持空間周面４１Ｂ、および保持空間５０を有する。
【００２９】
清掃部基礎部４１は、基礎部形成面３６との溶着、および清掃突起４３の支持に適した厚さを有する。清掃部基礎部４１の厚さは、基礎面４１Ａから基礎部形成面３６との溶着部分までの距離により規定される。清掃部基礎部４１の厚さは、適正厚さ範囲に含まれることが好ましい。適正厚さ範囲は、一例として、０．２ｍｍ〜１．５ｍｍの範囲を有する。適正厚さ範囲は、より好ましい例として、０．５ｍｍ〜１．２ｍｍの範囲を有する。清掃部基礎部４１の厚さは、一例として、０．８ｍｍを有する。
【００３０】
基礎面４１Ａは、ヘッド背面３７と同一の平面上に形成されている。ヘッド背面３７と同一の平面は、ヘッド背面３７を含む仮想の平面を示す。基礎面４１Ａは、周壁面４２Ａおよび保持空間周面４１Ｂと連続している。基礎面４１Ａは、平面形状を有する。
【００３１】
保持空間周面４１Ｂは、清掃部基礎部４１のうちのヘッド先端側部３２上に存在する部分に形成されている。保持空間周面４１Ｂは、基礎面４１Ａと連続している。保持空間周面４１Ｂは、保持空間５０を形成している。保持空間周面４１Ｂは、テーパー形状を有する。保持空間周面４１Ｂは、保持空間５０の深さ方向において、基礎面４１Ａ側から保持空間底面３６Ｂ側に向かうにつれて保持空間５０を縮小する方向に傾斜している。保持空間５０の深さ方向は、保持空間底面３６Ｂに直交する仮想線により規定される。
【００３２】
清掃部周壁部４２は、ヘッド頂面３８上およびヘッド側面３９上に形成されている。清掃部周壁部４２は、ヘッド頂面３８およびヘッド側面３９に溶着している。清掃部周壁部４２は、周壁面４２Ａを有する。
【００３３】
周壁面４２Ａは、基礎面４１Ａと連続して形成されている。周壁面４２Ａは、曲面形状の部分および平面形状の部分を有する。周壁面４２Ａの曲面形状の部分は、清掃部周壁部４２のうちのヘッド頂面３８上に存在する部分に形成されている。周壁面４２Ａの平面形状の部分は、清掃部周壁部４２のうちのヘッド側面３９上に存在する部分に形成されている。
【００３４】
図２を参照して、清掃突起４３の配列構造について説明する。
複数の清掃突起４３は、一例として、図２に示される配列構造を有する。複数の清掃突起４３は、１１列の清掃突起４３の列を形成している。清掃突起４３の１列は、ヘッド３０の長手方向に並べられた複数の清掃突起４３により形成されている。中央の清掃突起４３の列は、列の中間部分が保持空間５０により分断されている。中央の清掃突起４３の列は、器具幅方向においてヘッド３０の中心線上に形成されている。
【００３５】
図４を参照して、清掃突起４３の詳細な構成について説明する。
清掃突起４３は、一例として、図４に示される構造を有する。清掃突起４３は、基礎面４１Ａから突出している。清掃突起４３は、突起基礎部４３Ａおよび突起先端部４３Ｂを有する。突起基礎部４３Ａは、テーパー形状を有する。突起基礎部４３Ａの基礎側の部分は、基礎面４１Ａに結合されている。突起先端部４３Ｂは、半球形状を有する。突起先端部４３Ｂの基礎側の端部は、突起基礎部４３Ａに結合されている。１つの清掃突起４３は、隣り合う別の清掃突起４３との間に微小な隙間を有する。
【００３６】
清掃突起４３の高さは、舌の汚れの除去に適した大きさを有する。清掃突起４３の高さは、基礎面４１Ａから突起先端部４３Ｂの頂点までの距離により規定される。清掃突起４３の高さは、適正高さ範囲に含まれることが好ましい。適正高さ範囲は、一例として、０．２ｍｍ〜３．０ｍｍの範囲を有する。適正高さ範囲は、より好ましい例として、０．３ｍｍ〜１．０ｍｍの範囲を有する。清掃突起４３の高さは、一例として、０．４ｍｍを有する。
【００３７】
清掃突起４３の高さは、０．２ｍｍ未満の場合、舌の清掃性に対して好ましくない影響を及ぼす可能性を有する。清掃突起４３の高さは、３．０ｍｍよりも大きい場合、舌の清掃性に対して好ましくない影響を及ぼす可能性を有する。
【００３８】
清掃突起４３の直径は、舌の汚れの除去に適した大きさを有する。清掃突起４３の直径は、突起基礎部４３Ａにおける基礎面４１Ａとの結合部分の直径により規定される。清掃突起４３の直径は、適正直径範囲に含まれることが好ましい。適正直径範囲は、一例として、０．２ｍｍ〜２．０ｍｍの範囲を有する。適正直径範囲は、より好ましい例として、０．４ｍｍ〜１．０ｍｍの範囲を有する。清掃突起４３の直径は、一例として、０．６ｍｍを有する。
【００３９】
清掃突起４３の直径は、０．２ｍｍ未満の場合、舌の清掃性に対して好ましくない影響を及ぼす可能性を有する。清掃突起４３の直径は、２．０ｍｍよりも大きい場合、舌の清掃性に対して好ましくない影響を及ぼす可能性を有する。
【００４０】
舌の清掃性は、舌の汚れを除去することに関する舌清掃部４０の能力を示す。舌の清掃性に対する好ましくない影響は、舌清掃器具１０を用いた舌の清掃が弱い力により行われた場合において、舌清掃部４０が十分な量の汚れを舌から除去できないおそれが高くなることを含む。
【００４１】
図４を参照して、保持空間５０の構成について説明する。
保持空間５０は、清掃部基礎部４１に形成されている。保持空間５０は、清掃部基礎部４１のうちのヘッド先端側部３２上に存在する部分に形成されている。保持空間５０は、保持空間周面４１Ｂおよび保持空間底面３６Ｂに囲まれて形成されている。保持空間５０は、清掃部基礎部４１を貫通している。保持空間５０は、基礎面４１Ａに対して凹んだ形状を有する。
【００４２】
基礎部形成面３６は、保持空間５０が清掃部基礎部４１を貫通していることにより、基礎部形成面３６の一部分である保持空間底面３６Ｂが外部に露出している。基礎部形成面３６は、ヘッド形成色ＣＨＡを有する。舌清掃部４０は、清掃部形成色ＣＣＡを有する。このため、使用者は、ヘッド形成色ＣＨＡを容易に視認することができる。
【００４３】
保持空間５０は、楕円柱形状に類似する形状を有する（図２参照）。保持空間５０は、器具幅方向において短辺を有する。保持空間５０は、器具長手方向において長片を有する。保持空間５０は、舌から除去された汚れを保持することに適した形状を有する。
【００４４】
保持空間５０の短辺は、舌から除去された汚れを保持することに適した大きさを有する。保持空間５０の短辺は、保持空間５０の開口部分における器具幅方向の距離により規定される。保持空間５０の短辺は、清掃突起４３の高さおよび直径の少なくとも一方よりも大きいことが好ましい。保持空間５０の短辺は、適正短辺範囲に含まれることが好ましい。適正短辺範囲は、一例として、０．３ｍｍ〜５．０ｍｍの範囲を有する。適正短辺範囲は、より好ましい例として、０．５ｍｍ〜３．０ｍｍの範囲を有する。保持空間５０の短辺は、一例として、１．４ｍｍを有する。
【００４５】
保持空間５０短辺は、０．３ｍｍ未満の場合、舌から除去された汚れの保持性に対して好ましくない影響を及ぼす可能性を有する。保持空間５０の短辺は、５．０ｍｍよりも大きい場合、清掃突起４３の形成のためのスペースが減少する等の好ましくない影響を及ぼす可能性を有する。
【００４６】
保持空間５０の長辺は、舌から除去された汚れを保持することに適した大きさを有する。保持空間５０の長辺は、保持空間５０の開口部分における器具長手方向の距離により規定される。保持空間５０の長辺は、清掃突起４３の高さおよび直径の少なくとも一方よりも大きいことが好ましい。保持空間５０の長辺は、適正長辺範囲に含まれることが好ましい。適正長辺範囲は、一例として、０．３ｍｍ〜１０．０ｍｍの範囲を有する。適正長辺範囲は、より好ましい例として、０．５ｍｍ〜５．０ｍｍの範囲を有する。保持空間５０の長辺は、一例として、２．６ｍｍを有する。
【００４７】
保持空間５０長辺は、０．３ｍｍ未満の場合、舌から除去された汚れの保持性に対して好ましくない影響を及ぼす可能性を有する。保持空間５０の長辺は、１０．０ｍｍよりも大きい場合、清掃突起４３の形成のためのスペースが減少する等の好ましくない影響を及ぼす可能性を有する。
【００４８】
保持空間５０の深さは、舌から除去された汚れを保持することに適した大きさを有する。保持空間５０の深さは、基礎面４１Ａから保持空間底面３６Ｂまでの距離により規定される。保持空間５０の深さは、清掃突起４３の高さおよび直径の少なくとも一方よりも大きいことが好ましい。保持空間５０の深さは、適正深さ範囲に含まれることが好ましい。適正深さ範囲は、一例として、０．３ｍｍ〜２．０ｍｍの範囲を有する。適正深さ範囲は、より好ましい例として、０．５ｍｍ〜１．５ｍｍの範囲を有する。保持空間５０の深さは、一例として、０．８ｍｍを有する。
【００４９】
保持空間５０の深さは、０．３ｍｍ未満の場合、舌から除去された汚れの保持性に対して好ましくない影響を及ぼす可能性を有する。保持空間５０の深さは、２．０ｍｍよりも大きい場合、保持空間５０の清掃時における汚れの放出性に対して好ましくない影響を及ぼす可能性を有する。
【００５０】
汚れの保持性は、除去された汚れを保持することに関する保持空間５０の能力を示す。汚れの保持性に対する好ましくない影響は、保持空間５０において十分な量の汚れが保持されにくくなることを含む。十分な量は、使用者が保持空間５０に保持されている汚れを容易に視認することができる量を示す。
【００５１】
図１および図５を参照して、電動口腔衛生装置１の作用について説明する。
舌清掃器具１０は、歯の清掃に用いられる場合、歯清掃部１１が歯に押し当てられる。舌清掃器具１０は、衛生装置本体６０により駆動されることにより、器具長手方向において歯に対して往復移動する。または、舌清掃器具１０は、使用者により操作されることにより、歯に対して往復移動する。舌清掃器具１０は、歯に対して移動することにより、歯清掃部１１により歯の汚れを除去する。
【００５２】
舌清掃器具１０は、舌の清掃に用いられる場合、舌清掃部４０が舌に押し当てられる。舌清掃器具１０は、弱い力により舌に押し当てられることが好ましい。舌清掃器具１０は、衛生装置本体６０により駆動されることにより、器具長手方向において舌に対して往復移動する。または、舌清掃器具１０は、使用者により操作されることにより、器具長手方向において舌に対して往復移動する。舌清掃器具１０は、舌に対して移動することにより、清掃突起４３により舌の汚れを除去する。
【００５３】
舌から除去された汚れ（以下、「除去後汚れＳＡ」）は、舌清掃器具１０の往復移動により舌清掃部４０上を移動する。除去後汚れＳＡの一部または全部は、保持空間５０に入り込む。保持空間５０に入り込んだ汚れ（以下、「空間内汚れＳＢ」）は、舌清掃器具１０が舌の清掃に用いられているとき、保持空間５０の外部に移動しにくい。空間内汚れＳＢが保持空間５０の外部に移動しにくいことは、本願発明者が実施した実験の結果により確認されている。その理由は、次のように考えられる。空間内汚れＳＢは、清掃突起４３上に存在する除去後汚れＳＡと比較して、舌清掃器具１０が往復移動するときに舌に接触しにくい。このため、空間内汚れＳＢは、舌との接触による移動が生じにくい。このため、空間内汚れＳＢは、保持空間５０の外部に移動しにくい。
【００５４】
空間内汚れＳＢは、舌清掃器具１０が口腔内から取り出された後、舌清掃器具１０が水等の洗浄液により洗浄されることにより、保持空間５０の外部に移動する。保持空間５０の外部に移動した汚れ（以下、「洗浄後汚れＳＣ」）は、舌清掃器具１０から除去される。このため、舌清掃器具１０の衛生的な状態が形成される。
【００５５】
図６を参照して、舌から除去された汚れの程度の確認手順について説明する。
使用者は、舌清掃器具１０により舌を清掃する。使用者は、舌清掃器具１０を口腔内から取り出す。使用者は、保持空間５０に存在する空間内汚れＳＢの量を視認する。使用者は、空間内汚れＳＢが存在していることを確認した場合、舌の汚れが除去されたことを認識することができる。使用者は、空間内汚れＳＢが存在していることを確認した場合、舌に汚れが残されている可能性があることを認識することができる。使用者は、舌清掃器具１０により舌を引き続き清掃する場合、洗浄液により保持空間５０を洗浄する。空間内汚れＳＢは、洗浄後汚れＳＣとして保持空間５０から洗い流される。
【００５６】
使用者は、舌清掃器具１０により舌を再び清掃した後、上記と同様の手順により、空間内汚れＳＢの有無を確認する。使用者は、舌清掃器具１０を口腔内から取り出した後において、空間内汚れＳＢが確認できなくなるまで、舌の清掃を継続することができる。使用者は、舌清掃器具１０を口腔内から取り出した後において、空間内汚れＳＢが確認できないとき、舌の汚れが十分に除去されたことを認識することができる。
【００５７】
図６を参照して、舌清掃器具１０の製造方法について説明する。
舌清掃器具１０の製造方法（以下、「器具製造方法」）は、一例として、射出成形法を有する。器具製造方法は、１次成形工程および２次成形工程を有する。器具製造方法は、基礎成形型１００、１次成形型１１０、および２次成形型１２０を用いて舌清掃器具１０を製造する。
【００５８】
基礎成形型１００は、一例として、図６（ａ）に示される構造を有する。基礎成形型１００は、器具本体２０を成形するための構造を有する。１次成形型１１０は、一例として、図６（ａ）に示される構造を有する。１次成形型１１０は、器具本体２０を成形するための構造を有する。２次成形型１２０は、一例として、図６（ｂ）に示される構造を有する。２次成形型１２０は、器具本体２０に舌清掃部４０を成形するための構造を有する。２次成形型１２０は、２次成形部１２１、成形品固定部１２２、およびゲート１２３を有する。２次成形型１２０は、基礎成形型１００と２次成形部１２１との間に２次成形空間１２４を形成する。
【００５９】
図６（ａ）は、１次成形工程の作業過程を示している。
１次成形工程は、最初の段階において、基礎成形型１００に対して１次成形型１１０を型締めする。１次成形型１１０は、型締めされることにより、基礎成形型１００との間に１次成形空間（図示略）を形成する。１次成形工程は、次の段階において、１次成形空間に第１成形材料を射出する。１次成形工程は、第１成形材料を射出することにより、１次成形品としての器具本体２０を成形する。１次成形工程は、次の段階において、１次成形型１１０を型開きする。
【００６０】
図６（ｂ）および（ｃ）は、２次成形工程の作業過程を示している。
２次成形工程は、最初の段階において、基礎成形型１００に対して２次成形型１２０を型締めする。２次成形型１２０は、型締めされることにより、基礎成形型１００との間に２次成形空間１２４を形成する。２次成形型１２０は、型締めされることにより、基礎成形型１００との間に２次成形空間１２４を形成する。成形品固定部１２２は、ヘッド３０の基礎部形成面３６に接触する。２次成形型１２０は、成形品固定部１２２によりヘッド３０を基礎成形型１００に押し付ける。
【００６１】
２次成形工程は、次の段階において、ゲート１２３を介して２次成形空間１２４に第２成形材料を射出する。２次成形工程は、第２成形材料を射出することにより２次成形品としての舌清掃部４０をヘッド３０上に成形する。２次成形工程は、次の段階において、２次成形型１２０を型開きする。
【００６２】
器具製造方法の作用について説明する。
基礎成形型１００上の第２成形材料は、周囲の第２成形材料から圧力を受ける。周囲の第２成形材料は、基礎成形型１００上の第２成形材料を基礎成形型１００とブラシ植毛面３５との間に移動させる力を、基礎成形型１００上の第２成形材料に付与する。このため、ヘッド３０は、基礎成形型１００から離れる方向の力を第２成形材料から受けている。このため、成形品固定部１２２が存在していないと仮定した場合、２次成形工程においてヘッド３０が基礎成形型１００から離れるおそれがある。すなわち、第２成形材料が基礎成形型１００とブラシ植毛面３５との間に流れ込むおそれがある。このため、完成後の成形品のブラシ植毛面３５に第２成形材料が溶着することがある。
【００６３】
本器具製造方法は、２次成形工程において、成形品固定部１２２によりヘッド３０を基礎成形型１００に押さえ付けている。このため、第２成形材料から受ける圧力によりヘッド３０が基礎成形型１００から離れることが抑制される。すなわち、基礎成形型１００とブラシ植毛面３５との間に第２成形材料が流れ込むことが抑制される。このため、完成後の成形品のブラシ植毛面３５に第２成形材料が溶着することが抑制される。
【００６４】
電動口腔衛生装置１は、以下の効果を奏する。
（１）電動口腔衛生装置１は、舌清掃器具１０を有する。舌清掃器具１０は、舌清掃部４０を有する。舌清掃部４０は、清掃部基礎部４１、複数の清掃突起４３、および保持空間５０を有する。保持空間５０は、清掃部基礎部４１に対して凹んだ形状を有する。この構成によれば、舌から除去された汚れが保持空間５０において保持される。このため、使用者は、舌清掃器具１０により舌を清掃した後、保持空間５０の汚れを確認することにより、舌から除去された汚れの程度を認識することができる。このように、電動口腔衛生装置１は、舌から除去された汚れの程度を使用者に認識させることに貢献する。
【００６５】
（２）使用者は、舌清掃器具１０を口腔内から取り出した後において、保持空間５０に汚れが存在していないことを確認したとき、舌の汚れが十分に除去されたことを認識することができる。このため、舌清掃器具１０により舌が過剰に清掃されることが抑制される。なお、舌の過剰な清掃は、舌清掃器具１０を用いて舌が長期間にわたり清掃されること、または舌清掃器具１０を用いて舌が強い力により清掃されることを示す。
【００６６】
（３）保持空間底面３６Ｂは、外部に露出している。保持空間底面３６Ｂは、ヘッド形成色ＣＨＡを有する。舌清掃部４０は、清掃部形成色ＣＣＡを有する。ヘッド形成色ＣＨＡおよび清掃部形成色ＣＣＡは、互いに相違する。このため、保持空間底面３６Ｂと基礎面４１Ａとの色の相違が形成される。この構成によれば、使用者は、保持空間底面３６Ｂを容易に視認することができる。このため、使用者は、保持空間５０の位置を容易に視認することができる。このため、使用者は、舌から除去された汚れの程度を速やかに確認することができる。
【００６７】
（４）舌清掃器具１０は、ヘッド形成色ＣＨＡを利用して、保持空間底面３６Ｂと基礎面４１Ａとの色の相違を形成している。この構成によれば、ヘッド形成色ＣＨＡを利用することなく、保持空間底面３６Ｂと基礎面４１Ａとの色の相違が形成されると仮定した構成と比較して、舌清掃器具１０の製造時の工程が少なくなる。このため、舌清掃器具１０は、製造コストの低減に貢献する。
【００６８】
（５）保持空間５０は、清掃部基礎部４１のうちのヘッド先端側部３２上に存在する部分に形成されている。この構成によれば、清掃部基礎部４１のうちのヘッド基端側部３１上に存在する部分に保持空間５０が形成されていると仮定した構成と比較して、舌から除去された汚れが保持空間５０に入り込みやすい。このことは、本願発明者が実施した実験の結果により確認されている。この結果が得られた理由は、舌の清掃時において舌清掃器具１０が器具長手方向において往復移動することが関係していると考えられる。
【００６９】
（６）舌清掃部４０は、適正高さ範囲に含まれる清掃突起４３の高さを有する。この構成によれば、清掃突起４３の高さが、舌の清掃性に対して好ましくない影響を及ぼすことが抑制される。
【００７０】
（７）舌清掃部４０は、適正直径範囲に含まれる清掃突起４３の直径を有する。この構成によれば、清掃突起４３の直径が、舌の清掃性に対して好ましくない影響を及ぼすことが抑制される。
【００７１】
（８）舌清掃部４０は、適正短辺範囲に含まれる保持空間５０の短辺を有する。この構成によれば、保持空間５０の短辺が、舌から除去された汚れの保持性に対して好ましくない影響を及ぼすことが抑制される。また、保持空間５０の短辺が、清掃突起４３の形成のためのスペースに対して好ましくない影響を及ぼすことが抑制される。
【００７２】
（９）舌清掃部４０は、適正長辺範囲に含まれる保持空間５０の長辺を有する。この構成によれば、保持空間５０長辺が、舌から除去された汚れの保持性に対して好ましくない影響を及ぼすことが抑制される。また、保持空間５０の長辺が、清掃突起４３の形成のためのスペースに対して好ましくない影響を及ぼすことが抑制される。
【００７３】
（１０）舌清掃部４０は、適正深さ範囲に含まれる保持空間５０の深さを有する。この構成によれば、保持空間５０の深さが、舌から除去された汚れの保持性に対して好ましくない影響を及ぼすことが抑制される。また、保持空間５０の深さが、保持空間５０の清掃時における汚れの放出性に対して好ましくない影響を及ぼすことが抑制される。
【００７４】
（１１）器具製造方法は、２次成形工程において、成形品固定部１２２によりヘッド３０を基礎成形型１００に押さえ付ける。この構成によれば、２次成形工程後の成形品のブラシ植毛面３５に第２成形材料が溶着することが抑制される。また、２次成形工程後の成形品の清掃部周壁部４２にバリが形成されにくい。
【００７５】
（第２実施形態）
第２実施形態の電動口腔衛生装置１は、次の点において第１実施形態の電動口腔衛生装置１と相違し、その他の点において第１実施形態の電動口腔衛生装置１と同じ構成を有する。第１実施形態の電動口腔衛生装置１の舌清掃器具１０は、図４に示される構造を有する。第２実施形態の電動口腔衛生装置１の舌清掃器具１０は、図７に示される構造を有する。なお、第２実施形態の電動口腔衛生装置１において、第１実施形態の電動口腔衛生装置１と共通する構成については同一の符号を付して、その説明の一部または全部を省略する。
【００７６】
図７を参照して、第２実施形態の舌清掃器具１０の構成について説明する。
舌清掃部４０は、清掃部基礎部４１、清掃部周壁部４２、複数の清掃突起４３に加え、清掃部底壁部４４を有する。舌清掃部４０は、清掃部基礎部４１、清掃部周壁部４２、複数の清掃突起４３、および清掃部底壁部４４が同一の材料により一体的に形成された構造を有する。
【００７７】
清掃部基礎部４１は、保持空間５１を有する。清掃部底壁部４４は、保持空間５１の底部を閉塞している。清掃部底壁部４４は、基礎部形成面３６に溶着している。清掃部底壁部４４は、保持空間底面４４Ａを有する。保持空間底面４４Ａは、底面用形成色ＣＦＡを有する。底面用形成色ＣＦＡは、清掃部形成色ＣＣＡと相違する。底面用形成色ＣＦＡおよび清掃部形成色ＣＣＡは、互いの色の相違を使用者が容易に識別することが可能な関係を有する。
【００７８】
保持空間５１は、第１実施形態の保持空間５０に準じた構成を有する。保持空間５１は、保持空間周面４１Ｂおよび保持空間底面４４Ａに囲まれて形成されている。保持空間５１は、清掃部基礎部４１を貫通していない。保持空間５１の深さは、基礎面４１Ａから保持空間底面４４Ａまでの距離により規定される。
【００７９】
第２実施形態の電動口腔衛生装置１は、第１実施形態の電動口腔衛生装置１が奏する（１）、（２）および（５）〜（１０）の効果と同様の効果を奏する。すなわち、舌から除去された汚れの程度を使用者に認識させることに貢献する旨の効果、およびその他の種々の効果を奏する。また、第２実施形態の電動口腔衛生装置１は、以下の効果を奏する。
【００８０】
（１２）保持空間底面４４Ａは、底面用形成色ＣＦＡを有する。舌清掃部４０は、保持空間底面４４Ａ以外の部分において清掃部形成色ＣＣＡを有する。底面用形成色ＣＦＡおよび清掃部形成色ＣＣＡは、互いに相違する。この構成によれば、使用者は、保持空間底面４４Ａを容易に視認することができる。このため、保持空間５１を利用して舌の清掃の程度を確認するとき、保持空間５１の位置を容易に視認することができる。
【００８１】
（第３実施形態）
第３実施形態の電動口腔衛生装置１は、次の点において第１実施形態の電動口腔衛生装置１と相違し、その他の点において第１実施形態の電動口腔衛生装置１と同じ構成を有する。第１実施形態の電動口腔衛生装置１の舌清掃器具１０は、図４に示される構造を有する。第３実施形態の電動口腔衛生装置１の舌清掃器具１０は、図８に示される構造を有する。なお、第３実施形態の電動口腔衛生装置１において、第１実施形態の電動口腔衛生装置１と共通する構成については同一の符号を付して、その説明の一部または全部を省略する。
【００８２】
図８を参照して、第３実施形態の舌清掃器具１０の構成について説明する。
ヘッド３０は、保持空間５２を有する。保持空間５２は、基礎部形成面３６により形成されている。基礎部形成面３６は、平面形状の部分および凹形状の部分を有する。基礎部形成面３６は、基礎部被覆面３６Ａ、保持空間周面３６Ｃ、および保持空間底面３６Ｄを有する。基礎部被覆面３６Ａは、基礎部形成面３６の平面形状の部分を形成している。基礎部被覆面３６Ａは、全体が舌清掃部４０により覆われている。保持空間周面３６Ｃおよび保持空間底面３６Ｄは、基礎部形成面３６の凹形状の部分を形成している。保持空間周面３６Ｃおよび保持空間底面３６Ｄは、外部に露出している。保持空間周面３６Ｃは、保持空間周面４１Ｂと連続している。
【００８３】
保持空間５２は、基礎部形成面３６の凹形状の部分に形成されている。保持空間５２は、保持空間周面３６Ｃおよび保持空間底面３６Ｄに囲まれて形成されている。保持空間５２は、保持空間５０と連続している。
【００８４】
第３実施形態の電動口腔衛生装置１は、第１実施形態の電動口腔衛生装置１が奏する（１）〜（１３）の効果と同様の効果を奏する。すなわち、舌から除去された汚れの程度を使用者に認識させることに貢献する旨の効果、およびその他の種々の効果を奏する。
【００８５】
（第４実施形態）
第４実施形態の電動口腔衛生装置２００は、次の点において第１実施形態の電動口腔衛生装置１と相違し、その他の点において第１実施形態の電動口腔衛生装置１と同じ構成を有する。第１実施形態の電動口腔衛生装置１は、図１に示される構造を有する。第４実施形態の電動口腔衛生装置２００は、図９に示される構造を有する。なお、第４実施形態の電動口腔衛生装置２００において、第１実施形態の電動口腔衛生装置１と共通する構成については同一の符号を付して、その説明の一部または全部を省略する。
【００８６】
図９を参照して、第４実施形態の電動口腔衛生装置２００の構成について説明する。
電動口腔衛生装置２００は、携帯型電動歯ブラシとしての形態を有する。電動口腔衛生装置２００は、舌清掃器具２１０、衛生装置本体２６０、およびキャップ２７０を有する。電動口腔衛生装置２００は、電動口腔衛生装置２００の長手方向において舌清掃器具２１０を衛生装置本体２６０により振動させる。
【００８７】
キャップ２７０は、衛生装置本体２６０との分離および結合が可能な構造を有する。キャップ２７０は、衛生装置本体２６０に結合されているとき、舌清掃器具２１０の全体を覆う。
【００８８】
舌清掃器具２１０は、衛生装置本体２６０との分離および結合が可能なアタッチメントの形態を有する。舌清掃器具２１０は、舌清掃機能および歯清掃機能を有する。舌清掃器具２１０は、第１実施形態の舌清掃器具１０に準じた構成を有する。舌清掃器具２１０は、器具本体２２０、歯清掃部２１１、および舌清掃部２４０を有する。器具本体２２０は、第１実施形態の器具本体２０に準じた構成を有する。舌清掃部２４０は、第１実施形態の舌清掃部４０に準じた構成を有する。
【００８９】
第４実施形態の電動口腔衛生装置２００は、第１実施形態の電動口腔衛生装置１が奏する（１）〜（１３）の効果と同様の効果を奏する。すなわち、舌から除去された汚れの程度を使用者に認識させることに貢献する旨の効果、およびその他の種々の効果を奏する。
【００９０】
（その他の実施形態）
本電動口腔衛生装置および本舌清掃器具は、第１実施形態〜第４実施形態とは異なるその他の実施形態を含む。その他の実施形態は、一例として、以下に示される第１実施形態〜第４実施形態の変形例としての形態を有する。なお、以下の各変形例は、技術的に矛盾しない範囲において互いに組み合わせることもできる。
【００９１】
・第１実施形態のヘッド３０は、全体にわたりヘッド形成色ＣＨＡを有する。ただし、ヘッド３０の色は、第１実施形態に例示された内容に限られない。変形例のヘッド３０は、一例として以下の構成を有する。
【００９２】
［変形例Ａ１］のヘッド３０は、基礎部形成面３６の色と清掃部形成部３６以外の部分の色とが互いに相違する。基礎部形成面３６は、第１ヘッド変形色ＣＨＢを有する。ヘッド３０の清掃部形成部６３以外の部分は、第２ヘッド変形色ＣＨＣを有する。第１ヘッド変形色ＣＨＢは、清掃部形成色ＣＣＡと相違する。第２ヘッド変形色はＣＨＣ、清掃部形成色ＣＣＡと一致または相違する。第１ヘッド変形色ＣＨＢおよび清掃部形成色ＣＣＡは、使用者が互いの色の相違を容易に識別することが可能な関係を有することが好ましい。
【００９３】
［変形例Ａ２］のヘッド３０は、基礎部被覆面３６Ａの色と保持空間底面３６Ｂの色とが互いに相違する。保持空間底面３６Ｂは、第３ヘッド変形色ＣＨＤを有する。基礎部被覆面３６Ａは、第４ヘッド変形色ＣＨＥを有する。第３ヘッド変形色ＣＨＤは、清掃部形成色ＣＣＡと相違する。第４ヘッド変形色ＣＨＥは、清掃部形成色ＣＣＡと一致または相違する。第４ヘッド変形色ＣＨＥは、ヘッド３０における保持空間底面３６Ｂ以外の部分の色と一致または相違する。第３ヘッド変形色ＣＨＤおよび清掃部形成色ＣＣＡは、使用者が互いの色の相違を容易に識別することが可能な関係を有することが好ましい。
【００９４】
・第２実施形態の舌清掃部４０は、保持空間底面４４Ａの色と保持空間底面４４Ａ以外の部分の色とが互いに相違する。ただし、舌清掃部４０の構成は、第２実施形態に例示された内容に限られない。変形例の舌清掃部４０は、一例として以下の構成を有する。
【００９５】
［変形例Ｂ１］の舌清掃部４０は、保持空間底面４４Ａの色と保持空間底面４４Ａ以外の部分の色とが互いに一致する。［変形例Ｂ１］の舌清掃部４０は、全体にわたり清掃部形成色ＣＣＡを有する。
【００９６】
［変形例Ｂ２］の舌清掃部４０は、保持空間底面４４Ａの色と基礎面４１Ａの色とが互いに相違する。保持空間底面４４Ａは、第１清掃部変形色ＣＣＢを有する。基礎面４１Ａは、第２清掃部変形色ＣＣＣを有する。舌清掃部４０における保持空間底面４４Ａおよび基礎面４１Ａ以外の部分の色は、第１清掃部変形色ＣＣＢと一致または相違し、第２清掃部変形色ＣＣＣと相違する。第１清掃部変形色ＣＣＢおよび第２清掃部変形色ＣＣＣは、使用者が互いの色の相違を容易に識別することが可能な関係を有することが好ましい。
【００９７】
［変形例Ｂ３］の舌清掃部４０は、保持空間底面４４Ａの色と保持空間周面４１Ｂの色とが互いに一致する。［変形例Ｂ３］の舌清掃部４０は、保持空間底面４４Ａおよび保持空間周面４１Ｂの色と、保持空間底面４４Ａおよび保持空間周面４１Ｂ以外の部分の色とが互いに相違する。保持空間底面４４Ａおよび保持空間周面４１Ｂは、第３清掃部変形色ＣＣＤを有する。舌清掃部４０の保持空間底面４４Ａおよび保持空間周面４１Ｂ以外の部分は、第４清掃部変形色ＣＣＥを有する。第３清掃部変形色ＣＣＤおよび第４清掃部変形色ＣＣＥは、使用者が互いの色の相違を容易に識別することが可能な関係を有することが好ましい。
【００９８】
・第１実施形態〜第４実施形態の舌清掃器具１０は、１つの保持空間５０，５１を有する。ただし、保持空間５０，５１の数は、各実施形態に例示された内容に限られない。変形例の舌清掃器具は、複数の保持空間５０，５１を有する。
【００９９】
・第１実施形態〜第４実施形態の舌清掃器具１０は、ヘッド先端側部３２上に保持空間５０を有する。ただし、保持空間５０，５１の形成位置は、各実施形態に例示された内容に限られない。変形例の舌清掃器具は、一例として、ヘッド基端側部３１上に保持空間５０，５１を有する。
【０１００】
・第１実施形態〜第４実施形態の舌清掃器具１０は、楕円形状に類似する形状の保持空間５０，５１を有する。ただし、保持空間５０，５１の形状は、各実施形態に例示された内容に限られない。変形例の舌清掃器具は、一例として、円形状の保持空間５０，５１を有する。
【０１０１】
・第１実施形態〜第４実施形態の舌清掃部４０は、突起基礎部４３Ａにおける基礎面４１Ａとの結合部分の直径を清掃突起４３の直径として規定している。ただし、清掃突起４３の直径の定義は、各実施形態に例示された内容に限られない。例えば、変形例の舌清掃部４０は、突起先端部４３Ｂにおける最大の直径を清掃突起４３の直径として規定する。
【０１０２】
・第１実施形態〜第４実施形態の舌清掃器具１０，２１０は、歯清掃部１１，２１１を有する。ただし、舌清掃器具１０，２１０の構成は、各実施形態に例示された内容に限られない。変形例の舌清掃器具は、一例として、歯清掃部１１，２１１が省略された構成を有する。
【０１０３】
・第１実施形態〜第４実施形態の舌清掃器具１０は、電動口腔衛生装置１，２００のアタッチメントとしての形態を有する。ただし、舌清掃器具１０の構成は、各実施形態に例示された内容に限られない。変形例の舌清掃器具は、一例として、以下の構成を有する。
【０１０４】
［変形例Ｃ１］の舌清掃器具は、電動口腔衛生装置１のアタッチメントとしての形態に代えて、舌清掃器具単体により１つの口腔衛生装置を形成する。この舌清掃器具は、電動アクチュエータを有していない。この舌清掃器具は、一般の歯ブラシとしての形態を有する。この舌清掃器具は、器具本体としてのブラシ本体、舌清掃部、および歯清掃部を有する。ブラシ本体は、ヘッドおよびグリップ部を有する。
【０１０５】
［変形例Ｃ２］の舌清掃器具は、［変形例Ｃ１］の舌清掃器具において歯清掃部が省略された構成を有する。この舌清掃器具は、舌の清掃に特化した口腔衛生装置としての形態を有する。
【０１０６】
［変形例Ｃ３］の舌清掃器具は、第１実施形態〜第４実施形態の舌清掃器具１０において、歯清掃部１１に代えて口腔衛生用の別の機能部を有する。別の機能部は、一例として、歯間ブラシまたはステイン除去部を含む。
【０１０７】
（課題を解決するための手段に関する付記）
課題を解決するための手段は、下記の各付記手段のとおり記述することもできる。なお、各付記手段が有する事項は、各実施形態において開示された事項に対応している。
【０１０８】
［付記手段１］
請求項１〜５のいずれか一項に記載の舌清掃器具は、次の事項を有する。前記保持空間の幅は、前記清掃突起の高さおよび直径の少なくとも一方よりも大きい。
【０１０９】
［付記手段２］
請求項２〜４のいずれか一項に記載の舌清掃器具、または請求項２〜４のいずれか一項を引用する請求項５に記載の舌清掃器具は、次の事項を有する。前記保持空間周面は、前記保持空間の開口側から前記保持空間底面側に向かうにつれて前記保持空間を縮小する方向に傾斜している。
【符号の説明】
【０１１０】
１…電動口腔衛生装置
１０…舌清掃器具、１１…歯清掃部
２０…器具本体、２１…ステー
３０…ヘッド、３１…ヘッド基端側部、３２…ヘッド先端側部、３３…清掃部規定部、３４…ヘッド面取部、３５…ブラシ植毛面、３６…基礎部形成面、３６Ａ…基礎部被覆面、３６Ｂ…保持空間底面、３６Ｃ…保持空間周面、３６Ｄ…保持空間底面、３７…ヘッド背面、３８…ヘッド頂面、３９…ヘッド側面
４０…舌清掃部、４１…清掃部基礎部、４１Ａ…基礎面、４１Ｂ…保持空間周面、４２…清掃部周壁部、４２Ａ…周壁面、４３…清掃突起、４３Ａ…突起基礎部、４３Ｂ…突起先端部、４４…清掃部底壁部、４４Ａ…保持空間底面
５０…保持空間、５１…保持空間、５２…保持空間
６０…衛生装置本体
１００…基礎成形型、１１０…１次成形型、１２０…２次成形型、１２１…２次成形部、１２２…成形品固定部、１２３…ゲート、１２４…２次成形空間
２００…電動口腔衛生装置
２１０…舌清掃器具、２１１…歯清掃部
２２０…器具本体
２４０…舌清掃部
２６０…衛生装置本体
２７０…キャップ
ＳＡ…分離後汚れ、ＳＢ…空間内汚れ、ＳＣ…洗浄後汚れ
【図１】
2014113269.tif 000003
【図２】
2014113269.tif 000004
【図３】
2014113269.tif 000005
【図４】
2014113269.tif 000006
【図５】
2014113269.tif 000007
【図６】
2014113269.tif 000008
【図７】
2014113269.tif 000009
【図８】
2014113269.tif 000010
【図９】
2014113269.tif 000011
【図１０】
2014113269.tif 000012